(57)【要約】【課題】用紙を取り違えた印刷の抑止を可能とする。【解決手段】画像形成システム１０は、画像形成装置１００とメディア測定装置２００とを備える。メディア測定装置２００は、用紙の物性を取得して画像形成装置１００に送信する用紙物性取得部２２０を備える。画像形成装置１００は、ジョブリストデータベース１７０に記憶され、受信した用紙の物性に対応する用紙を使用するジョブの情報を液晶ディスプレイ１８１に表示する。【選択図】図１
2020185675.tif 000002
【特許請求の範囲】
【請求項１】
表示部と、
使用する用紙の種類または用紙の物性と関連付けて画像形成ジョブを記憶する記憶部と、
用紙の物性を取得する用紙物性取得部と、
前記用紙物性取得部が取得した用紙の物性に対応する用紙の種類に関連付けられた画像形成ジョブ、および前記用紙物性取得部が取得した用紙の物性に対応する用紙の物性に関連付けられた画像形成ジョブを示す用紙使用ジョブに関する情報を前記表示部に表示する制御部と、を備える
ことを特徴とする画像形成システム。
【請求項２】
前記用紙使用ジョブに関する情報は、前記画像形成システムに備わり、当該用紙使用ジョブが使用する用紙が格納されるトレイの情報を含む
ことを特徴とする請求項１に記載の画像形成システム。
【請求項３】
前記用紙使用ジョブに関する情報は、当該用紙使用ジョブで使用する用紙の枚数を含む
ことを特徴とする請求項１に記載の画像形成システム。
【請求項４】
前記用紙使用ジョブに関する情報は、当該用紙使用ジョブの出力時間、当該用紙使用ジョブの出力時における前記画像形成システムの周辺の温度、および当該用紙使用ジョブの出力時における前記画像形成システムの周辺の湿度のうち少なくとも何れか１つを含む
ことを特徴とする請求項１に記載の画像形成システム。
【請求項５】
前記画像形成ジョブは、複数の種別に分類され、
前記制御部は、
前記種別ごとに前記画像形成ジョブの一覧を表示し、
前記種別の画像形成ジョブの一覧を表示しているときに、前記用紙物性取得部が用紙の物性を取得した場合には、当該種別の用紙使用ジョブに関する情報を表示する
ことを特徴とする請求項１に記載の画像形成システム。
【請求項６】
前記制御部は、
前記種別の画像形成ジョブの一覧以外を表示しているときに、前記用紙物性取得部が用紙の物性を取得した場合には、前記用紙使用ジョブの情報を前記表示部に表示する
ことを特徴とする請求項５に記載の画像形成システム。
【請求項７】
前記複数の種別は、出力が未指示である一時保存、出力が指示済みで未出力である出力予約、および出力済みである出力履歴のうち少なくとも何れか１つを含む
ことを特徴とする請求項５に記載の画像形成システム。
【請求項８】
前記制御部は、
前記種別の画像形成ジョブの一覧以外を表示しているときに前記用紙物性取得部が用紙の物性を取得した場合には、種別が前記一時保存である用紙使用ジョブの情報を前記表示部に表示する
ことを特徴とする請求項７に記載の画像形成システム。
【請求項９】
前記制御部は、
種別が前記出力履歴の画像形成ジョブの一覧を表示しているときに、前記用紙物性取得部が用紙の物性を取得した場合には、種別が前記出力履歴である用紙使用ジョブを表示するとともに、
当該用紙使用ジョブの最終出力からの経過時間が所定時間以上である場合には、当該経過時間を表示する
ことを特徴とする請求項７に記載の画像形成システム。
【請求項１０】
前記用紙使用ジョブに関する情報は、当該用紙使用ジョブが使用する用紙であって、前記画像形成システムに備わるトレイに未格納の用紙であり、前記用紙物性取得部が取得した用紙とは異なる用紙の種類を含む
ことを特徴とする請求項１に記載の画像形成システム。
【請求項１１】
前記制御部は、
前記用紙物性取得部が用紙の物性を取得したときに前記画像形成システムから引き出されていたトレイの設定画面、または、前記用紙物性取得部が用紙の物性を取得したときから所定時間内に前記画像形成システムから引き出されたトレイの設定画面に、前記用紙物性取得部が取得した用紙の物性、または当該用紙の物性に対応する用紙の種類の少なくとも何れか１つを表示する
ことを特徴とする請求項１に記載の画像形成システム。
【請求項１２】
前記用紙物性取得部が取得する用紙の物性は、単位面積当たりの重量、厚さ、光の反射率、および光の透過率のうち少なくとも何れか１つを含む
ことを特徴とする請求項１に記載の画像形成システム。
【請求項１３】
前記画像形成システムは、複数の筐体を備え、
前記用紙物性取得部を備える筐体と、前記制御部を備える筐体とが異なる
ことを特徴とする請求項１に記載の画像形成システム。
【請求項１４】
前記用紙物性取得部を備える筐体は、前記表示部を備える
ことを特徴とする請求項１３に記載の画像形成システム。
【請求項１５】
表示部と、
使用する用紙の種類または用紙の物性と関連付けて画像形成ジョブを記憶する記憶部と、
用紙の物性を取得し、取得した用紙の物性に対応する用紙の種類に関連付けられた画像形成ジョブ、および取得した用紙の物性に対応する用紙の物性に関連付けられた画像形成ジョブを示す用紙使用ジョブに関する情報を前記表示部に表示する制御部と、を備える
ことを特徴とする画像形成装置。
【請求項１６】
表示部を備える画像形成装置のコンピュータを、
使用する用紙の種類または用紙の物性と関連付けて画像形成ジョブを記憶する手段と、
用紙の物性を取得し、取得した用紙の物性に対応する用紙の種類に関連付けられた画像形成ジョブ、および取得した用紙の物性に対応する用紙の物性に関連付けられた画像形成ジョブを示す用紙使用ジョブに関する情報を前記表示部に表示する手段
として機能させるためのプログラム。
【請求項１７】
表示部と、記憶部とを備える画像形成装置の制御方法であって、
使用する用紙の種類または用紙の物性と関連付けて画像形成ジョブを前記記憶部に記憶するステップと、
用紙の物性を取得し、取得した用紙の物性に対応する用紙の種類に関連付けられた画像形成ジョブ、および取得した用紙の物性に対応する用紙の物性に関連付けられた画像形成ジョブを示す用紙使用ジョブに関する情報を前記表示部に表示するステップと、を実行する
ことを特徴とする制御方法。
【発明の詳細な説明】
【技術分野】
【０００１】
本発明は、印刷作業を効率化する画像形成システム、画像形成装置、プログラムおよび制御方法に関する。
【背景技術】
【０００２】
印刷会社は、文書やチラシ、ポスターなどの印刷、および印刷した文書の製本などを行っている。印刷や製本で使用する用紙には複数の種類やサイズ、厚さがあり、複合機（画像形成装置）のオペレータは、印刷物（ジョブ）に応じてトレイ（給紙トレイ）に格納する用紙を入れ替えながら、印刷や製本を行っている。
用紙は、複合機近くの作業机に置かれている。オペレータは、ジョブで使用しない用紙をトレイから取り出して作業机に戻し、続いて、ジョブで使用する種類やサイズに合った用紙を、作業机に置かれている用紙の中から見つけ出してトレイに格納する。
【０００３】
用紙のサイズは目視で確認できるが、用紙の種類や厚さは、目視や手触りだけでは区別しにくい。また、不定形サイズの特注の用紙が多く、用紙の包み紙が無地であり、外装からも区別できない。このため、ジョブに指定された種類とは異なる種類の用紙に印刷してしまったり、複合機の設定に合わない用紙に印刷してかすれやにじみなどの不良が発生したり、紙詰まりが発生したりして、無駄なコストや印刷し直しなどの手間が生じる。このため、オペレータが把握できていない用紙は全て廃棄してしまい、用紙代が無駄になっている。
特許文献１には、ジョブで使用する用紙と、プリンタ装置にある用紙とを比較する発明が記載されている。
【先行技術文献】
【特許文献】
【０００４】
【特許文献１】特開平７−２３４７６７号公報
【発明の概要】
【発明が解決しようとする課題】
【０００５】
特許文献１の請求項３に係る発明は、ジョブで使用する用紙とプリンタ装置（複合機、画像形成装置）にある用紙（トレイに格納された用紙）とが異なる場合には、警告を発する。このため、オペレータは、複合機のトレイに用紙を格納して、ジョブの印刷を指示してから初めて、トレイに格納すべき用紙が間違っていることに気が付く。この場合、オペレータは、トレイから用紙を取り出し、別の用紙をトレイに格納するという作業を再度行う必要がある。似たような種類の用紙が複数ある場合には、上記した作業を繰り返すことになってしまう。
【０００６】
本発明は、このような背景を鑑みてなされたのであり、印刷作業を効率化する画像形成システム、画像形成装置、プログラムおよび制御方法を提供することを課題とする。
【課題を解決するための手段】
【０００７】
本発明の上記目的は、下記の手段によって達成される。
【０００８】
（１）表示部と、使用する用紙の種類または用紙の物性と関連付けて画像形成ジョブを記憶する記憶部と、用紙の物性を取得する用紙物性取得部と、前記用紙物性取得部が取得した用紙の物性に対応する用紙の種類に関連付けられた画像形成ジョブ、および前記用紙物性取得部が取得した用紙の物性に対応する用紙の物性に関連付けられた画像形成ジョブを示す用紙使用ジョブに関する情報を前記表示部に表示する制御部と、を備えることを特徴とする画像形成システム。
【０００９】
（２）前記用紙使用ジョブに関する情報は、前記画像形成システムに備わり、当該用紙使用ジョブが使用する用紙が格納されるトレイの情報を含むことを特徴とする（１）に記載の画像形成システム。
【００１０】
（３）前記用紙使用ジョブに関する情報は、当該用紙使用ジョブで使用する用紙の枚数を含むことを特徴とする（１）に記載の画像形成システム。
【００１１】
（４）前記用紙使用ジョブに関する情報は、当該用紙使用ジョブの出力時間、当該用紙使用ジョブの出力時における前記画像形成システムの周辺の温度、および当該用紙使用ジョブの出力時における前記画像形成システムの周辺の湿度のうち少なくとも何れか１つを含むことを特徴とする（１）に記載の画像形成システム。
【００１２】
（５）前記画像形成ジョブは、複数の種別に分類され、前記制御部は、前記種別ごとに前記画像形成ジョブの一覧を表示し、前記種別の画像形成ジョブの一覧を表示しているときに、前記用紙物性取得部が用紙の物性を取得した場合には、当該種別の用紙使用ジョブに関する情報を表示することを特徴とする（１）に記載の画像形成システム。
【００１３】
（６）前記制御部は、前記種別の画像形成ジョブの一覧以外を表示しているときに、前記用紙物性取得部が用紙の物性を取得した場合には、前記用紙使用ジョブの情報を前記表示部に表示することを特徴とする（５）に記載の画像形成システム。
【００１４】
（７）前記複数の種別は、出力が未指示である一時保存、出力が指示済みで未出力である出力予約、および出力済みである出力履歴のうち少なくとも何れか１つを含むことを特徴とする（５）に記載の画像形成システム。
【００１５】
（８）前記制御部は、前記種別の画像形成ジョブの一覧以外を表示しているときに前記用紙物性取得部が用紙の物性を取得した場合には、種別が前記一時保存である用紙使用ジョブの情報を前記表示部に表示することを特徴とする（７）に記載の画像形成システム。
【００１６】
（９）前記制御部は、種別が前記出力履歴の画像形成ジョブの一覧を表示しているときに、前記用紙物性取得部が用紙の物性を取得した場合には、種別が前記出力履歴である用紙使用ジョブを表示するとともに、当該用紙使用ジョブの最終出力からの経過時間が所定時間以上である場合には、当該経過時間を表示することを特徴とする（７）に記載の画像形成システム。
【００１７】
（１０）前記用紙使用ジョブに関する情報は、当該用紙使用ジョブが使用する用紙であって、前記画像形成システムに備わるトレイに未格納の用紙であり、前記用紙物性取得部が取得した用紙とは異なる用紙の種類を含むことを特徴とする（１）に記載の画像形成システム。
【００１８】
（１１）前記制御部は、前記用紙物性取得部が用紙の物性を取得したときに前記画像形成システムから引き出されていたトレイの設定画面、または、前記用紙物性取得部が用紙の物性を取得したときから所定時間内に前記画像形成システムから引き出されたトレイの設定画面に、前記用紙物性取得部が取得した用紙の物性、または当該用紙の物性に対応する用紙の種類の少なくとも何れか１つを表示することを特徴とする（１）に記載の画像形成システム。
【００１９】
（１２）前記用紙物性取得部が取得する用紙の物性は、単位面積当たりの重量、厚さ、光の反射率、および光の透過率のうち少なくとも何れか１つを含むことを特徴とする（１）に記載の画像形成システム。
【００２０】
（１３）前記画像形成システムは、複数の筐体を備え、前記用紙物性取得部を備える筐体と、前記制御部を備える筐体とが異なることを特徴とする（１）に記載の画像形成システム。
【００２１】
（１４）前記用紙物性取得部を備える筐体は、前記表示部を備えることを特徴とする（１３）に記載の画像形成システム。
【００２２】
（１５）表示部と、使用する用紙の種類または用紙の物性と関連付けて画像形成ジョブを記憶する記憶部と、用紙の物性を取得し、取得した用紙の物性に対応する用紙の種類に関連付けられた画像形成ジョブ、および取得した用紙の物性に対応する用紙の物性に関連付けられた画像形成ジョブを示す用紙使用ジョブに関する情報を前記表示部に表示する制御部と、を備えることを特徴とする画像形成装置。
【００２３】
（１６）表示部を備える画像形成装置のコンピュータを、使用する用紙の種類または用紙の物性と関連付けて画像形成ジョブを記憶する手段と、用紙の物性を取得し、取得した用紙の物性に対応する用紙の種類に関連付けられた画像形成ジョブ、および取得した用紙の物性に対応する用紙の物性に関連付けられた画像形成ジョブを示す用紙使用ジョブに関する情報を前記表示部に表示する手段ととして機能させるためのプログラム。
【００２４】
（１７）表示部と、記憶部とを備える画像形成装置の制御方法であって、使用する用紙の種類または用紙の物性と関連付けて画像形成ジョブを前記記憶部に記憶するステップと、用紙の物性を取得し、取得した用紙の物性に対応する用紙の種類に関連付けられた画像形成ジョブ、および取得した用紙の物性に対応する用紙の物性に関連付けられた画像形成ジョブを示す用紙使用ジョブに関する情報を前記表示部に表示するステップと、を実行することを特徴とする制御方法。
【発明の効果】
【００２５】
本発明によれば、印刷作業を効率化する画像形成システム、画像形成装置、プログラムおよび制御方法を提供することができる。
【図面の簡単な説明】
【００２６】
【図１】本実施形態に係る画像形成システムの機能構成図である。
【図２】本実施形態に係るジョブのデータ構成図である。
【図３】本実施形態に係るジョブリストデータベースのデータ構成図である。
【図４】本実施形態に係るジョブ処理のシーケンス図である。
【図５】本実施形態に係る用紙使用ジョブ表示処理のフローチャートである。
【図６】本実施形態に係る用紙使用ジョブを表示する機械状態画面を示す図である。
【図７】本実施形態に係る用紙使用ジョブを表示する一時保存ジョブ画面である。
【図８】本実施形態に係る用紙使用ジョブを表示する出力予約ジョブ画面である。
【図９】本実施形態に係る用紙使用ジョブを表示する出力履歴ジョブ画面である。
【図１０】本実施形態に係る用紙使用ジョブを表示する出力履歴ジョブ画面である。
【図１１】本実施形態に係る出力履歴ジョブのジョブ詳細画面である。
【図１２】本実施形態の変型例に係る機械状態画面における用紙使用ジョブ表示処理のフローチャートである。
【図１３】本実施形態の変型例に係る用紙使用ジョブを表示する機械状態画面を示す図である。
【図１４】本実施形態の変型例に係る用紙設定画面を示す図である。
【発明を実施するための形態】
【００２７】
以下に、本発明を実施するための形態（実施形態）における画像形成システムを説明する。本実施形態に係る画像形成システムは、用紙の物性を取得するメディア測定装置を備え、画像形成装置が取得された特性から当該用紙を使用するジョブを特定して表示する。
画像形成システムがこのような構成をとることにより、オペレータは、用紙をトレイ（給紙トレイ）に入れる前に用紙を使用するジョブを確認することができる。このため、オペレータが、用紙を取り違えてトレイに格納し、ジョブの実行を指示して印刷することが抑止される。結果として、誤った用紙を用いた印刷物を納品することによる顧客の信用喪失や再印刷の手間、用紙コストの増大を回避することができる。
【００２８】
≪画像形成システムの全体構成≫
図１は、本実施形態に係る画像形成システム１０の機能構成図である。画像形成システム１０は、画像形成装置１００およびメディア測定装置２００を含んで構成される。
【００２９】
メディア測定装置２００は、用紙物性取得部２２０と外部インタフェース２１０（図１では外部Ｉ／Ｆと記載）を含んで構成される。外部インタフェース２１０は、後記する画像形成装置１００の外部インタフェース１４７とデータを送受信する通信装置である。通信方式の例として、ＵＳＢ（Universal Serial Bus）や無線ＬＡＮ（Local Area Network）、Bluetooth（登録商標）などがある。
【００３０】
用紙物性取得部２２０は、重量センサ２２１、厚さセンサ２２２、反射率センサ２２３、および透過率センサ２２４を含んで構成され、用紙の重量（坪量（単位面積当たりの重量））、厚さ、光の反射率や透過率を取得する。用紙物性取得部２２０が取得した用紙の物性（物性値）は、外部インタフェース２１０を経由して画像形成装置１００に送信される。なお、用紙物性取得部２２０が、取得した物性から特定した用紙の種類（普通紙、上質紙、コート紙、マット紙など）を送信してもよい。
【００３１】
画像形成装置１００は、画像処理部１１０、システム制御部１２０、温度センサ１０５、および湿度センサ１０６を含んで構成されている。
画像処理部１１０は、パソコンなどの外部端末がＬＡＮなどのネットワークを介して送信してきたジョブのデータから画像データを生成する画像処理機能を備えている。画像処理部１１０は、画像処理を実行するコントローラ制御ＣＰＵ（Central Processing Unit）１１１、ＬＡＮに接続するＬＡＮインタフェース１１２（図１では「LAN I/F」と記載）、生成された画像データなどを記憶する画像メモリ１１３、および画像メモリ１１３へのデータの入出力や画像データのシステム制御部１２０への転送を行うＤＲＡＭ（Dynamic Random Access Memory）制御部１１４を備えている。
【００３２】
システム制御部１２０は、プリンタ部１３０、制御部１４０、および操作部１８０を含んで構成される。
プリンタ部１３０は画像データに応じてオン／オフされて、感光ドラムにレーザー光を照射するＬＤ（Laser Diode）１３１、およびプリンタ部１３０全体の動作を制御するプリンタ制御部１３２を含んで構成される。この他に、プリンタ部１３０は、給紙用のトレイ、用紙の搬送機構、トレイの開閉センサ、画像が形成された用紙に対してソートやパンチ穴開けなどの処理を行う用紙処理部などを備えるが、図示していない。
【００３３】
操作部１８０は、液晶ディスプレイ１８１（図１ではＬＣＤと記載）と、操作制御部１８２とを含んで構成される。液晶ディスプレイ１８１は、その画面上にタッチパネルが装着されており、各種（操作）画面を表示するとともに、利用者がタッチした位置を検出する。
操作制御部１８２は、ＣＰＵから構成され、液晶ディスプレイ１８１の画面に、画像形成装置１００の状態や設定内容、ジョブの情報、ボタンを含む各種画面を表示する。また、 操作部１８０は、利用者の操作を受け付け、操作に応じて指定されたジョブの出力などを制御部１４０に指示する。
【００３４】
制御部１４０は、システム制御部１２０の動作を制御し、ＤＲＡＭ制御部１４１、圧縮ＩＣ（Integrated Circuit）１４２、読み取り処理部１４３、伸長ＩＣ１４４、書き込み処理部１４５、画像制御ＣＰＵ１４６、外部インタフェース１４７、画像メモリ１５０、および記憶部１６０を含んで構成される。
ＤＲＡＭ制御部１４１は、画像メモリ１５０への入出力や画像処理部１１０のＤＲＡＭ制御部１１４からの画像データを受信する。なお、ＤＲＡＭ制御部１１４，１４１は、ＰＣＩ（Peripheral Component Interconnect）バス１０９で接続されている。
【００３５】
圧縮ＩＣ１４２は画像データを圧縮し、伸長ＩＣ１４４は圧縮された画像データを元の画像データに伸長する。画像メモリ１５０は、圧縮ＩＣ１４２により圧縮された画像データを記憶する圧縮メモリ１５１と、非圧縮の画像データをページ単位で記憶するページメモリ１５２とを備える。
読み取り処理部１４３は、画像データに対して拡大処理、鏡像処理などを行う。書き込み処理部１４５は、圧縮メモリ１５１から読み出され、伸長ＩＣ１４４にて伸長された画像データに応じてＬＤ１３１をオン／オフさせるための信号を、プリンタ部１３０の動作に応じたタイミングで出力する。
【００３６】
画像制御ＣＰＵ１４６は、ＣＰＵから構成され、システム制御部１２０を制御する。外部インタフェース１４７は、メディア測定装置２００との通信データの送受信を行う。外部インタフェース１４７は、受信した用紙の物性を画像制御ＣＰＵ１４６に出力する。温度センサ１０５および湿度センサ１０６は、画像形成装置１００周辺の温度と湿度を測定して、画像制御ＣＰＵ１４６に出力する。
【００３７】
記憶部１６０は、画像形成装置１００の電源オフ後も記憶されるユーザデータやシステムデータなどが記憶される記憶デバイスであって、ジョブリストデータベース１７０（図１ではジョブリストＤＢ（Database）と記載、後記する図３参照）を記憶する。
【００３８】
≪ジョブのデータ構成≫
図２は、本実施形態に係るジョブ（印刷ジョブ）３００のデータ構成図である。ジョブ３００は、ジョブ基本データ３０１、およびページごとに存在するページデータ３０２，３０３，３０４を含んで構成される。ジョブ基本データ３０１は、ジョブ名（ファイル名）やページ数、印刷部数を含む。ページデータ３０２，３０３，３０４は、ページごとの情報を含み、印刷面（片面印刷または両面印刷）、排出先のトレイ、用紙種類、用紙サイズなどを含む。
【００３９】
１つのジョブで、ページによって用紙種類やサイズが異なる場合がある。例えば、Ａ４サイズの上質紙を基本とするが、大きな図表を含むページはＡ３サイズであったり、カラー写真画像を印刷するページはコート紙であったりする。
図２に記載のページデータ３０２，３０３，３０４は、用紙種類の情報を含むが、用紙種類の替わりに用紙の物性（坪量やサイズ、反射率、透過率など）の情報を含んでもよい。
【００４０】
≪ジョブリストデータベースのデータ構成≫
図３は、本実施形態に係るジョブリストデータベース１７０のデータ構成図である。ジョブリストデータベース１７０は、一時保存ジョブのリストである一時保存ジョブリスト１７１、出力予約ジョブのリストである出力予約ジョブリスト１７２、および出力履歴ジョブのリストである出力履歴ジョブリスト１７３を含む。一時保存ジョブは、外部端末から指示されたジョブであって、出力（印刷）が指示されていないジョブである。出力予約ジョブは、出力が指示済みのジョブである。出力履歴ジョブは、出力済みのジョブであって、印刷記録として記憶されているジョブである。
【００４１】
≪ジョブ処理≫
図４は、本実施形態に係るジョブ処理のシーケンス図である。図４を参照しながら、画像形成装置１００とメディア測定装置２００とを含んで構成される画像形成システム１０に対するオペレータの操作や画像形成システム１０の処理を説明する。
ステップＳ１１においてオペレータは、画像形成装置１００にジョブを投入する。なお、オペレータは、投入したジョブが使用する用紙の種類やサイズを把握しているとする。
ステップＳ１２において画像形成装置１００は、投入されたジョブを一時保存ジョブとして保存する（一時保存ジョブリスト１７１（図３参照）に追加して登録する）。
【００４２】
ステップＳ１３においてオペレータは、トレイにある用紙（残紙）を取り出す。
ステップＳ１４においてオペレータは、投入したジョブで使用する用紙をメディア測定装置２００に投入する。
【００４３】
ステップＳ１５においてメディア測定装置２００は、投入された用紙の物性を測定して、測定結果を画像形成装置１００に送信し、画像形成装置１００が、投入された用紙を使用するジョブ（用紙使用ジョブ）を液晶ディスプレイ１８１に表示する。ステップＳ１５のメディア測定装置２００および画像形成装置１００の処理は、後記する図５を参照して説明する。
【００４４】
以下の説明では、ステップＳ１１において投入したジョブが表示され、オペレータが当該ジョブで使用する正しい用紙を選択したとして説明を続ける。ステップＳ１１において投入したジョブが表示されない場合には、間違った用紙をメディア測定装置２００に投入したことになる。当該ジョブが表示されるまで、オペレータは別の用紙を選択してメディア測定装置２００に投入することを繰り返す。
【００４５】
ステップＳ１６においてオペレータは、用紙をトレイにセット（格納）する。
ステップＳ１７においてオペレータは、操作部１８０を操作して、用紙をセットしたトレイの設定を変更する。設定項目として、用紙のサイズや種類などがある。
ステップＳ１８においてオペレータは、操作部１８０を操作して、ジョブの出力を指示する。
【００４６】
ステップＳ１９において画像形成装置１００は、出力が指示されたジョブを、一時保存ジョブリスト１７１から出力予約ジョブリスト１７２に移し、出力（印刷）する。ジョブを出力すると、画像形成装置１００は、当該ジョブを出力予約ジョブリスト１７２から出力履歴ジョブリスト１７３に移動する。
ステップＳ２０においてオペレータは、操作部１８０を操作して、出力履歴ジョブ画面を表示して、ジョブの出力を確認する。
【００４７】
≪用紙使用ジョブ表示処理≫
図５は、本実施形態に係る用紙使用ジョブ表示処理のフローチャートである。図５を参照しながら、図４のステップＳ１５にあたる処理であって、メディア測定装置２００で測定した用紙を使用するジョブを、画像形成装置１００が液晶ディスプレイ１８１に表示する処理を説明する。
ステップＳ３１においてメディア測定装置２００は、用紙が投入されたことを検知し、用紙の物性値を取得して画像形成装置１００に送信する。詳しくは、用紙物性取得部２２０が、重量センサ２２１、厚さセンサ２２２、反射率センサ２２３、および透過率センサ２２４を用いて用紙の物性を測定して、測定結果を画像形成装置１００に送信する。
【００４８】
ステップＳ３２において画像制御ＣＰＵ１４６は、用紙の物性を受信し、用紙の種類を特定する。続いて、画像制御ＣＰＵ１４６は、一時保存ジョブリスト１７１のなかで特定した用紙の種類または用紙の物性に対応するページデータ（図２参照）をもつジョブを取得する。
ステップＳ３３において画像制御ＣＰＵ１４６は、出力予約ジョブリスト１７２のなかで特定した用紙の種類または用紙の物性に対応するページデータをもつジョブを取得する。
ステップＳ３４において画像制御ＣＰＵ１４６は、出力履歴ジョブリスト１７３のなかで特定した用紙の種類または用紙の物性に対応するページデータをもつジョブを取得する。
【００４９】
ステップＳ３５において画像制御ＣＰＵ１４６は、液晶ディスプレイ１８１に表示中の表示画面に応じてステップＳ３６〜Ｓ３９に分岐して進む。詳しくは、機械状態画面を表示していれば（ステップＳ３５→機械状態）画像制御ＣＰＵ１４６はステップＳ３６に進む。一時保存ジョブ画面を表示していれば（ステップＳ３５→一時保存）画像制御ＣＰＵ１４６はステップＳ３７に進む。出力予約ジョブ画面を表示していれば（ステップＳ３５→出力予約）画像制御ＣＰＵ１４６はステップＳ３８に進む。出力履歴ジョブ画面を表示していれば（ステップＳ３５→出力履歴）画像制御ＣＰＵ１４６はステップＳ３９に進む。
【００５０】
ステップＳ３６において画像制御ＣＰＵ１４６は、ステップＳ３２で取得した一時保存ジョブをポップアップ表示する。図６は、本実施形態に係る用紙使用ジョブを表示する機械状態画面４００を示す図である。画面上部の機械状態タブ４０１、ジョブリストタブ４０２などのタブのなかで、機械状態タブ４０１が選択されており、機械状態画面４００が表示されていることがわかる。
【００５１】
機械状態画面４００上のポップアップウィンドウ４０３のなかに、ステップＳ３２で取得した一時保存ジョブが表示されている。図６においては、用紙の種類は「上質紙」であり、上質紙を用いる一時保存ジョブとして「Job3201」が表示されている。ＯＫボタン４０４がタップされると、ポップアップウィンドウ４０３が閉じ、元の機械状態画面４００に戻る。
【００５２】
図５に戻って、ステップＳ３７において画像制御ＣＰＵ１４６は、ステップＳ３２で取得した一時保存ジョブのみを表示する。図７は、本実施形態に係る用紙使用ジョブを表示する一時保存ジョブ画面４２０である。画面上部のタブのなかで、ジョブリストタブ４０２が選択されている。また、ジョブリストのタブ４２１のなかで一時保存ジョブタブが選択されており、一時保存ジョブ画面４２０が表示されていることがわかる。
【００５３】
ジョブリストのタブ４２１の下方の中央にある一覧表にステップＳ３２で取得した一時保存ジョブが１件表示されている。一時保存ジョブ数は３である（メッセージ表示領域４２２の右側の「一時保存ジョブ数  ３」を参照）が、ステップＳ３２で取得した一時保存ジョブは１件であるため、この１件のみが表示されている。ジョブの情報としては、名前の他に、ページ数や部数、使用するトレイ（給紙トレイ）が表示されており、オペレータは、用紙を入れるトレイや必要な用紙の枚数を確認することができる。オペレータが、閉じるボタン４２９をタップすると、元の３件の一時保存ジョブを表示する画面に戻る。
【００５４】
図５に戻って、ステップＳ３８において画像制御ＣＰＵ１４６は、ステップＳ３３で取得した出力予約ジョブのみを表示する。図８は、本実施形態に係る用紙使用ジョブを表示する出力予約ジョブ画面４４０である。画面上部のタブのなかで、ジョブリストタブ４０２が選択され、ジョブリストのタブ４２１のなかで出力予約ジョブタブが選択されており、出力予約ジョブ画面４４０が表示されていることがわかる。
【００５５】
ジョブリストのタブ４２１の下方の一覧表にステップＳ３３で取得した出力予約ジョブが１件表示されている。出力予約ジョブ数は２である（メッセージ表示領域４２２の右側の「出力予約ジョブ数  ２」を参照）が、ステップＳ３３で取得した一時保存ジョブは１件であるため、この１件のみが表示されている。閉じるボタン４４９がタップされると、元の２件の出力予約ジョブを表示する画面に戻る。
【００５６】
図５に戻って、ステップＳ３９において画像制御ＣＰＵ１４６は、ステップＳ３４で取得した出力履歴ジョブのみを表示する。
ステップＳ４０において画像制御ＣＰＵ１４６は、ステップＳ３４で取得した出力履歴ジョブのなかで最後に出力されたジョブが出力されてからの経過時間を算出する。
ステップＳ４１において画像制御ＣＰＵ１４６は、ステップＳ４０で算出した経過時間が１月未満ならば（ステップＳ４１→ＹＥＳ）用紙使用ジョブ表示処理を終了し、１月以上ならば（ステップＳ４１→ＮＯ）ステップＳ４２に進む。
ステップＳ４２において画像制御ＣＰＵ１４６は、ステップＳ４０で算出した経過時間を表示する。
【００５７】
図９は、本実施形態に係る用紙使用ジョブを表示する出力履歴ジョブ画面４６０である。画面上部のタブのなかで、ジョブリストタブ４０２が選択され、ジョブリストのタブ４２１のなかで出力履歴タブが選択されており、出力履歴ジョブ画面４６０が表示されていることがわかる。最後に出力されて日時（一覧表の中の時刻「19/3/24 11:00」参照）からの経過時間は１月未満であるため、経過時間は表示されていない。閉じるボタン４６９がタップされると、他の出力履歴ジョブも含めて表示される画面に戻る。
【００５８】
図１０は、本実施形態に係る用紙使用ジョブを表示する出力履歴ジョブ画面４６０Ａである。最後に出力されて日時（一覧表の中の時刻「19/1/24 14:00」参照）からの経過時間が１月以上であるため、メッセージ表示領域４２２に経過時間が表示されている。一覧表の中のファイル名が「Job2203」である行をタップすることでジョブを選択して、詳細ボタン４６１をタップすることで、後記する図１１に示されるジョブの詳細が表示される。
【００５９】
図１１は、本実施形態に係る出力履歴ジョブのジョブ詳細画面４８０である。ジョブ詳細画面４８０は、メッセージ表示領域４２２、ジョブ基本情報表示領域４８１、ジョブ基本設定表示領域４８２、用紙設定表示領域４８３、出力設定表示領域４８４、および出力情報表示領域４８５を含む。出力情報表示領域４８５には、出力結果、出力時刻、出力に要した時間、出力時の画像形成装置１００周辺の温度や湿度が表示される。閉じるボタン４８９がタップされると、出力履歴ジョブ画面４６０Ａ（図１０参照）に戻る。
【００６０】
≪用紙使用ジョブ表示処理の特徴≫
メディア測定装置２００が用紙の物性を測定し、画像形成装置１００が当該用紙を用いるジョブを表示する。オペレータは、用紙をセットして設定した後に表示されたジョブの出力を指示する（図４のステップＳ１６〜Ｓ１８参照）ことで、画像形成装置１００が間違った用紙に出力することを抑止できるようなる。結果として、異なる種類の用紙に印刷したり、複合機の設定に合わない用紙に印刷してかすれやにじみなどの不良が発生したり、紙詰まりが発生したりして、無駄なコストや印刷し直しなどの手間が生じることを防ぐことができる。
【００６１】
オペレータは、ジョブの出力履歴から用紙を最後に使用した時期やその時の環境（温度と湿度）を知ることができる。オペレータは、用紙の品質（劣化の程度）を推定して継続して用紙を使用するか、既存の用紙を破棄して新しい用紙を使用するか判断できるようになる。
なお、温度や湿度は、ジョブ詳細画面４８０（図１１参照）に表示されるが、出力履歴ジョブ画面４６０，４６０Ａ（図９、図１０参照）に表示されるようにしてもよい。
【００６２】
≪変型例：未セット用紙の表示≫
図６〜図７に示したように、画像形成装置１００は、メディア測定装置２００が測定した用紙の物性に対応する用紙を使用するジョブを表示する。表示されたジョブについて、ジョブが使用する用紙でトレイにセットされていない用紙があれば、表示するようにしてもよい。
【００６３】
図１２は、本実施形態の変型例に係る機械状態画面における用紙使用ジョブ表示処理のフローチャートである。図１２に示す処理は、図５のステップＳ３６に替わる処理であって、物性に対応する一時保存ジョブを取得（ステップＳ３２参照）し、表示画面が機械状態画面である場合（ステップＳ３５→機械状態）の処理である。
【００６４】
ステップＳ５１において画像制御ＣＰＵ１４６は、ステップＳ３２で取得した一時保存ジョブについて、当該ジョブが使用する用紙であって画像形成装置１００のトレイにセットされていない用紙であり、かつメディア測定装置２００がステップＳ３１で検知した用紙の種類ではない用紙の種類を取得する。例えば、ジョブが用紙Ａと用紙Ｂを使用し、メディア測定装置２００が用紙Ａを検知し、かつ用紙Ｂがトレイにセットされていないならば、用紙Ｂが取得される。
【００６５】
ステップＳ５２において画像制御ＣＰＵ１４６は、ステップＳ５１で未セットの用紙があれば（ステップＳ５２→ＹＥＳ）ステップＳ５４に進み、未セットの用紙がなければ（ステップＳ５２→ＮＯ）ステップＳ５３に進む。
ステップＳ５３は、ステップＳ３６と同様の処理である。
【００６６】
ステップＳ５４において画像制御ＣＰＵ１４６は、ステップＳ３２で取得した一時保存ジョブおよびステップＳ５１で取得した未セット用紙の種類をポップアップ表示する。図１３は、本実施形態の変型例に係る用紙使用ジョブを表示する機械状態画面４００Ａを示す図である。機械状態画面４００Ａ上のポップアップウィンドウ４０３Ａのなかに、ステップＳ３２で取得した一時保存ジョブとともに、当該ジョブが使用し、画像形成装置１００にセットされていない用紙の種類（「レザック」）が表示されている。
【００６７】
上記の変型例では、未セットの用紙の種類を表示しているが、未セットの種類とサイズとを表示するようにしてもよい。また、機械状態画面の他に、一時保存ジョブ画面や出力予約画面（図７、図８参照）において、未セット用紙の種類を、例えばメッセージ表示領域４２２に表示するようにしてもよい。
上記の変型例においてオペレータは、メディア測定装置２００に投入した用紙以外のジョブが使用する用紙でトレイに未セットの用紙を知ることができ、より効率的に用紙をトレイにセットすることができるようになる。
【００６８】
≪変型例：取得した用紙種類の設定≫
図４のステップＳ１７において、オペレータがトレイ（給紙トレイ）にセットした用紙の設定を行っている。画像制御ＣＰＵ１４６が、取得した用紙の物性から特定した用紙の種類を仮設定するようにしてもよい。図１４は、本実施形態の変型例に係る用紙設定画面５００を示す図である。画面左側にはトレイ番号が表示された給紙用のトレイのボタンが配置されている。「トレイ１」ボタン５０２が強調されて表示されており、用紙設定画面５００がトレイ１に係る用紙設定画面であることがわかる。用紙設定表示領域５０１には、用紙サイズや用紙種類、坪量などの設定情報が表示される。
【００６９】
画像制御ＣＰＵ１４６は、トレイが開いた（トレイが画像形成装置１００から引き出された）状態でメディア測定装置２００から用紙の物性を取得した場合には、用紙使用ジョブを表示した後（図５の用紙使用ジョブ表示処理を実行して図６〜図８の画面を表示した後）に、ＯＫボタン４０４（図６参照）または機械状態タブ４０１（図７、図８参照）がタップされると、開いているトレイの用紙設定画面５００を表示する。画像制御ＣＰＵ１４６は、用紙設定表示領域５０１に取得した物性から特定した用紙種類や坪量などの物性を表示するとともに、取得した物性から特定できない設定情報については、既定の設定情報を表示する。
【００７０】
続いて、キャンセルボタン５０８がタップされると、取得した物性から特定した用紙種類や坪量などは破棄され、トレイの設定は、用紙の物性が取得される前の設定のままとなる。閉じるボタン５０９がタップされると、表示された設定に更新される。オペレータは、設定変更ボタン５０７をタップして、用紙設定変更画面（不図示）に遷移して設定内容を変更してから、閉じるボタン５０９をタップして、トレイの設定を行ってもよい。
【００７１】
上記したように、画像形成装置１００が取得した用紙の物性値を仮設定した用紙設定画面５００を表示することで、オペレータの用紙設定の操作（図４のステップＳ１７）の手間を削減することができる。
メディア測定装置２００から用紙の物性を取得したときに引き出されていたトレイに限らず、用紙の物性を取得してから所定時間内に引き出されたトレイについて、画像形成装置１００は、取得された用紙の物性値を仮設定した用紙設定画面５００を表示するようにしてもよい。
【００７２】
≪その他の変型例≫
なお、本発明は、上記した実施形態に限定されることなく、その趣旨を逸脱しない範囲で変更することができる。例えば、操作部１８０は画像形成装置１００に備わるが、メディア測定装置にも備わるようにしてもよい。オペレータは、自身に近い操作部で用紙使用ジョブを確認したり、出力を指示したりできる。また、図５のステップＳ４１，Ｓ４２において、最終の出力から１月以上が経過したときには経過時間を表示しているが、１月に限らず他の所定の経過時間であってもよい。
【００７３】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００７４】
１０    画像形成システム
１００  画像形成装置
１４０  制御部
１４６  画像制御ＣＰＵ
１６０  記憶部
１７０  ジョブリストデータベース
１８１  液晶ディスプレイ（表示部）
２００  メディア測定装置
２２０  用紙物性取得部
３００  ジョブ（画像形成ジョブ）
【図１】
2020185675.tif 000003
【図２】
2020185675.tif 000004
【図３】
2020185675.tif 000005
【図４】
2020185675.tif 000006
【図５】
2020185675.tif 000007
【図６】
2020185675.tif 000008
【図７】
2020185675.tif 000009
【図８】
2020185675.tif 000010
【図９】
2020185675.tif 000011
【図１０】
2020185675.tif 000012
【図１１】
2020185675.tif 000013
【図１２】
2020185675.tif 000014
【図１３】
2020185675.tif 000015
【図１４】
2020185675.tif 000016